【手続補正書】
【提出日】平成17年4月19日(2005.4.19)
【手続補正１】
【補正対象書類名】明細書
【補正対象項目名】請求項１
【補正方法】変更
【補正の内容】
【請求項１】
感光体上に静電潜像を形成する露光手段と、
複数の現像ユニットを保持するユニット保持部を、所定の回転軸まわりに回転移動させることによって前記複数の現像ユニットのうち一の現像ユニットを選択的に前記感光体に対向配置し、当該現像ユニットにより前記静電潜像にトナーを付着させて現像する現像手段と、
前記感光体から１次転写されるトナー像を担持しながら、所定の２次転写位置に搬送する中間転写媒体と、
前記２次転写位置の下方に配設されて少なくとも１枚の転写紙を収容可能な転写紙収容部と、
ほぼ鉛直方向に延設されて前記転写紙収容部から前記２次転写位置に転写紙を導く転写紙搬送経路と、
前記転写紙収容部から前記転写紙搬送経路に転写紙を給紙する給紙手段と、
前記転写紙搬送経路上に配設され、前記転写紙収容部から給紙された転写紙を撓んだ状態で一旦保持した後に、前記感光体から前記中間転写媒体上へ１次転写されたトナー像に同期して、当該転写紙を前記２次転写位置に向けて２次給紙する２次給紙手段と、
前記露光手段による静電潜像形成動作の開始後に、前記給紙手段による転写紙の給紙を開始させる給紙制御手段と
を備えたことを特徴とする画像形成装置。
【手続補正２】
【補正対象書類名】明細書
【補正対象項目名】請求項４
【補正方法】変更
【補正の内容】
【請求項４】
感光体上に静電潜像を形成する露光手段と、
複数の現像ユニットを保持するユニット保持部を、所定の回転軸まわりに回転移動させることによって前記複数の現像ユニットのうち一の現像ユニットを選択的に前記感光体に対向配置し、当該現像ユニットにより前記静電潜像にトナーを付着させて現像する現像手段と、
前記感光体から１次転写されるトナー像を担持しながら、所定の２次転写位置に搬送する中間転写媒体と、
前記２次転写位置の下方に配設されて少なくとも１枚の転写紙を収容可能な転写紙収容部と、
ほぼ鉛直方向に延設されて前記転写紙収容部から前記２次転写位置に転写紙を導く転写紙搬送経路と、
前記転写紙収容部から前記転写紙搬送経路に転写紙を給紙する給紙手段と、
前記転写紙搬送経路上に配設され、前記転写紙収容部から給紙された転写紙を撓んだ状態で一旦保持した後に、前記感光体から前記中間転写媒体上へ１次転写されたトナー像に同期して、当該転写紙を前記２次転写位置に向けて２次給紙する２次給紙手段とを備えた画像形成装置において、
前記露光手段による静電潜像形成動作の開始後に、前記給紙手段による転写紙の給紙を開始させるようにしたことを特徴とする画像形成方法。
【手続補正３】
【補正対象書類名】明細書
【補正対象項目名】０００７
【補正方法】変更
【補正の内容】
【０００７】
【課題を解決するための手段】
上記目的を達成するために、請求項１に記載の発明は、感光体上に静電潜像を形成する露光手段と、複数の現像ユニットを保持するユニット保持部を、所定の回転軸まわりに回転移動させることによって前記複数の現像ユニットのうち一の現像ユニットを選択的に前記感光体に対向配置し、当該現像ユニットにより前記静電潜像にトナーを付着させて現像する現像手段と、前記感光体から１次転写されるトナー像を担持しながら、所定の２次転写位置に搬送する中間転写媒体と、前記２次転写位置の下方に配設されて少なくとも１枚の転写紙を収容可能な転写紙収容部と、ほぼ鉛直方向に延設されて前記転写紙収容部から前記２次転写位置に転写紙を導く転写紙搬送経路と、前記転写紙収容部から前記転写紙搬送経路に転写紙を給紙する給紙手段と、前記転写紙搬送経路上に配設され、前記転写紙収容部から給紙された転写紙を撓んだ状態で一旦保持した後に、前記感光体から前記中間転写媒体上へ１次転写されたトナー像に同期して、当該転写紙を前記２次転写位置に向けて２次給紙する２次給紙手段と、前記露光手段による静電潜像形成動作の開始後に、前記給紙手段による転写紙の給紙を開始させる給紙制御手段とを備えたことを特徴としている。
【手続補正４】
【補正対象書類名】明細書
【補正対象項目名】０００８
【補正方法】変更
【補正の内容】
【０００８】
この構成によれば、ユニット保持部が所定の回転軸まわりに回転移動することによって複数の現像ユニットのうち一の現像ユニットが選択的に感光体に対向配置され、露光手段により感光体上に形成された静電潜像に当該現像ユニットによりトナーが付着されて現像される。このトナー像は、中間転写媒体に１次転写され、中間転写媒体に担持されて所定の２次転写位置に搬送される。この２次転写位置の下方には、少なくとも１枚の転写紙を収容可能な転写紙収容部が配置されている。また、ほぼ鉛直方向に延設されて転写紙収容部から２次転写位置に転写紙を導く転写紙搬送経路上には、転写紙収容部から給紙された転写紙を撓んだ状態で一旦保持した後に、感光体から中間転写媒体上へ１次転写されたトナー像に同期して、当該転写紙を２次転写位置に向けて２次給紙する２次給紙手段が配設されている。
【手続補正５】
【補正対象書類名】明細書
【補正対象項目名】００１４
【補正方法】変更
【補正の内容】
【００１４】
また、請求項４に記載の発明は、感光体上に静電潜像を形成する露光手段と、複数の現像ユニットを保持するユニット保持部を、所定の回転軸まわりに回転移動させることによって前記複数の現像ユニットのうち一の現像ユニットを選択的に前記感光体に対向配置し、当該現像ユニットにより前記静電潜像にトナーを付着させて現像する現像手段と、前記感光体から１次転写されるトナー像を担持しながら、所定の２次転写位置に搬送する中間転写媒体と、前記２次転写位置の下方に配設されて少なくとも１枚の転写紙を収容可能な転写紙収容部と、ほぼ鉛直方向に延設されて前記転写紙収容部から前記２次転写位置に転写紙を導く転写紙搬送経路と、前記転写紙収容部から前記転写紙搬送経路に転写紙を給紙する給紙手段と、前記転写紙搬送経路上に配設され、前記転写紙収容部から給紙された転写紙を撓んだ状態で一旦保持した後に、前記感光体から前記中間転写媒体上へ１次転写されたトナー像に同期して、当該転写紙を前記２次転写位置に向けて２次給紙する２次給紙手段とを備えた画像形成装置において、前記露光手段による静電潜像形成動作の開始後に、前記給紙手段による転写紙の給紙を開始させるようにしたことを特徴としている。
【手続補正６】
【補正対象書類名】明細書
【補正対象項目名】００１５
【補正方法】変更
【補正の内容】
【００１５】
この構成によれば、ユニット保持部が所定の回転軸まわりに回転移動することによって複数の現像ユニットのうち一の現像ユニットが選択的に感光体に対向配置され、露光手段により感光体上に形成された静電潜像に当該現像ユニットによりトナーが付着されて現像される。このトナー像は、中間転写媒体に１次転写され、中間転写媒体に担持されて所定の２次転写位置に搬送される。この２次転写位置の下方には、少なくとも１枚の転写紙を収容可能な転写紙収容部が配置されている。また、ほぼ鉛直方向に延設されて転写紙収容部から２次転写位置に転写紙を導く転写紙搬送経路上には、転写紙収容部から給紙された転写紙を撓んだ状態で一旦保持した後に、感光体から中間転写媒体上へ１次転写されたトナー像に同期して、当該転写紙を２次転写位置に向けて２次給紙する２次給紙手段が配設されている。
【手続補正７】
【補正対象書類名】明細書
【補正対象項目名】００１６
【補正方法】変更
【補正の内容】
【００１６】
ここで、露光手段による静電潜像形成動作の開始後に、転写紙収容部に収容された転写紙の転写紙搬送経路への給紙手段による給紙が開始されることにより、給紙開始後に露光手段の動作を開始する場合に比べて、２次給紙手段において転写紙が撓んだ状態で保持される時間が短縮されることから、撓みによる転写紙の変形が抑制され、転写画像の品質低下が未然に防止されることとなる。なお、複数の現像ユニットには、それぞれ異なる色のトナーを収容してもよい。
【手続補正８】
【補正対象書類名】明細書
【補正対象項目名】００５０
【補正方法】変更
【補正の内容】
【００５０】
給紙ローラ６１、フィードローラ対６２、ゲートローラ対６３、２次転写ローラ３５、定着ユニット４０の加熱ローラ４１、搬送ローラ対６４、排出ローラ対６５は、それぞれ駆動力伝達機構を介して同一の搬送系駆動用モータ８４に連結されている。搬送系駆動用モータ８４は、所定の回転速度に達するとレディ信号を出力する。給紙ローラ６１は給紙クラッチ８５のオンにより、フィードローラ対６２はフィードクラッチ（図示省略）のオンにより、ゲートローラ対６３はゲートクラッチ８６のオンにより、それぞれ搬送系駆動用モータ８４の駆動力が伝達されて回転駆動される。そして、転写紙４は、排出ローラ対６５によって装置本体２の上部に設けられた排紙部６に排出される。